(57)【要約】      （修正有）【課題】商品収容室への熱伝導をなくし、熱ロスをなくすことができる自動販売機を提供する。【解決手段】前面に開口を有する本体キャビネットの内部に断熱ボード材１７を付設することにより形成された商品収容室２０と、本体キャビネットに開閉可能に配設され、閉動作した場合に商品収容室２０の前面開口を閉成する内扉と、鋼板を屈曲加工して形成され、かつ商品収容室２０の前面開口の一側縁部に沿って延在する長尺状の補強フレーム材３１Ａと、商品収容室２０の内方に突出する態様で設けられた補強フレーム材３１Ａの取付部３１３Ａに取り付けられ、かつ内扉が商品収容室２０の前面開口を閉成する場合に自身が弾性変形して商品収容室２０を気密に保持する化粧枠部材３２Ａとを備え、化粧枠部材３２Ａを商品収容室２０の左右側壁を形成する断熱ボード材１７の前端域にある補強フレーム材３１Ａの取付部３１３Ａに取付ける。【選択図】図１
2013140551.tif 000002
【特許請求の範囲】
【請求項１】
前面に開口を有する自動販売機本体の内部に断熱ボード材を付設することにより形成された断熱構造の商品収容室と、
前記自動販売機本体に開閉可能に配設され、閉動作した場合に前記商品収容室の前面開口を閉成する扉体と、
鋼板を屈曲加工して形成され、かつ前記商品収容室の前面開口の一縁部に沿って延在する長尺状の補強フレーム材と、
前記動販売機本体の内方に突出する態様で設けられた前記補強フレーム材の取付部に取り付けられ、かつ前記扉体が前記商品収容室の前面開口を閉成する場合に自身が弾性変形して該商品収容室を気密に保持する化粧枠部材と、
を備えた自動販売機において、
前記補強フレーム材は前記商品収容室の左右側壁を形成する断熱ボードの前端域に取付部を有し、
前記化粧枠部材を前記補強フレーム材の取付部に取り付けたことを特徴とする自動販売機。
【請求項２】
前記補強フレーム材の取付部は、補強フレーム材の端部が商品収納庫の外方を向くように折り返して形成された密着曲げ部を有し、
前記化粧枠部材は、前記補強フレーム材の端部に係合する係合部と、断熱ボード材を保持するための支持部を有していることを特徴とする請求項１に記載の自動販売機。
【請求項３】
前記補強フレーム材の取付部は、前記化粧枠部材を係止する突起部を有したことを特徴とする請求項１に記載の自動販売機。
【発明の詳細な説明】
【技術分野】
【０００１】
本発明は、自動販売機に関し、より詳細には、例えば缶入り飲料やペットボトル飲料等の商品を販売する自動販売機に関するものである。
【背景技術】
【０００２】
従来、例えば缶入り飲料やペットボトル飲料等の商品を販売する自動販売機としては、前面が開口した直方状の本体キャビネット（自動販売機本体）の内部に断熱構造を有する商品収容室が設けられている。この商品収容室を断熱仕切板で仕切ることにより複数の商品収納庫が設けられ、この商品収納庫の内部雰囲気を加熱若しくは冷却することによって該商品収納庫の内部に収容された商品を所望の温度状態に維持するようにしている。
【０００３】
例えば、ホット商品を販売する場合には、商品収納庫の内部を加熱ヒータにより５５℃程度に加熱する一方、コールド商品を販売する場合には、商品収納庫の内部を冷却ユニットにより５℃程度に冷却しており、利用者の選択した商品をそれぞれ最適販売温度で提供するようにしている。
【０００４】
この種の自動販売機を図４に示す。図４は、外扉開放状態における自動販売機の斜視図である。ここで例示する自動販売機は、例えば缶入り飲料やペットボトル飲料等の商品を販売するためのもので、自動販売機本体である本体キャビネット１０を備えている。尚、本実施の形態においては、自動販売機を正面から見た場合の左方を左側とし、自動販売機を正面から見た場合の右方を右側として説明する。
【０００５】
本体キャビネット１０は、複数の金属板を適宜組み合わせることによって構成したもので、前面が開口した直方状に構成してある。より具体的には、天板１１、一対の側板１２、１３、底板１４、背板１５（図５参照）を接合することによって直方状の本体キャビネット１０を構成するようにしている。一対の側板１２、１３は、それぞれ底板１４よりも下方に延在しており、互いの間に基台板１６を接合してある。
【０００６】
このような本体キャビネット１０においては、天板１１、左側板１２、右側板１３、底板１４及び背板１５に沿って断熱ボード材１７を付設することにより、図５に示すような断熱構造を有する商品収容室２０が設けてある。ここで、天板１１に付設された断熱ボード材１７は、商品収容室２０の天壁を構成し、左側板１２、右側板１３に付設された断熱ボード材（左側板１２に付設された断熱ボード材１７及び右側板１３に付設された断熱ボード材１７）は、それぞれ商品収容室２０の一対の側壁を構成し、底板１４に付設された断熱ボード材１７は、商品収容室２０の底壁を構成し、背板１５に付設された断熱ボード材１７は、商品収容室２０の背壁を構成している。
【０００７】
このような商品収容室２０には、複数（図示の例では２つ）の断熱仕切板２１により複数の独立した商品収納庫２２が左右に並設してある。
【０００８】
これら商品収納庫２２は、缶入り飲料やペットボトル飲料等の商品を所望の温度に維持した状態で収容するためのものである。各商品収納庫２２には、それぞれの上方部に、商品投入口を通じて投入された商品を横倒し姿勢で収容するための商品収納ラック２３が配設してある一方、商品収納庫２２によって区画される搬出シュータ２４の下方に熱交換器（図示せず）が配設してあり、該熱交換器により、商品収納ラック２３に収納された飲料缶やペットボトルを所望の冷却温度、あるいは加熱温度に維持することが可能である。
【０００９】
上記自動販売機には、本体キャビネット１０の左側縁部に内扉４０及び外扉５０がそれぞれ開閉可能に配設してある。内扉４０は、本体キャビネット１０に設けた商品収容室２０の前面を覆うのに十分な大きさを有したものであり、断熱構造を有するものである。かかる内扉４０は、閉動作した場合に、商品収容室２０の前面開口を閉成するものである。尚、図示の例では、内扉４０を上下に分割し、それぞれ個別に開閉できるようにしてある。
【００１０】
外扉５０は、本体キャビネット１０の前面開口を覆うのに十分な大きさを有したものである。この外扉５０には、図には明示しないが、その前面側にディスプレイウィンドウ、商品選択ボタン、硬貨投入口、紙幣挿入口、一体表示器、硬貨返却口及び商品取出口５１が設けてある一方、外扉５０の後面側には、硬貨処理装置５２、硬貨回収ボックス５３及び紙幣処理装置５４が設けてある。
【００１１】
ディスプレイウィンドウは、外扉５０の内部に配設されたディスプレイ台に載置される商品見本等を利用者に視認させるための窓であり、透明なアクリル樹脂等で形成されている。商品選択ボタンは、利用者が購入商品を選択するための押しボタンスィッチであり、ディスプレイウィンドウを通じて視認される商品見本毎に用意してある。
【００１２】
硬貨投入口は、利用者が硬貨を投入するための開口である。この硬貨投入口を通じて投入された硬貨は、硬貨処理装置５２においてその金種が識別され、その後、硬貨回収ボックス５３に収容されることになる。
【００１３】
紙幣挿入口は、利用者が紙幣を挿入するための開口である。この紙幣挿入口を通じて挿入された紙幣は、紙幣処理装置５４においてその金種が識別されることになる。また上記紙幣挿入口は、紙幣処理装置５４において識別できなかった紙幣を返却するための機能を有している。
【００１４】
一体表示器は、貨幣の投入金額、販売中であるか否か、釣銭があるか否か等、各種情報を利用者に表示するためのものである。硬貨返却口は、硬貨処理装置５２において識別できなかった硬貨、あるいは釣銭となる硬貨を利用者に返却するための開口である。商品取出口５１は、商品収納ラック２３から払い出された商品を利用者が受け取るための開口である。
【００１５】
上述したように、商品収容室２０は、本体キャビネット１０の内部にボード状の断熱部材１７を付設することにより形成されており、前面が開口している。このような商品収容室２０の前面開口のそれぞれの側縁部には、長尺状の補強フレーム材３１が配設されているとともに、補強フレーム材３１には、化粧枠部材３２が取り付けられている。
【００１６】
以下において、図面を参照しながら従来の補強フレーム材３１、化粧枠部材３２の構成について説明する。図５は、商品収容室２０を上方から見た場合を示す本体キャビネット１０の断面平面図である。図６は、従来の商品収容室２０の要部を拡大して示す拡大断面平面図であり、商品収容室２０の前面開口の左右縁部の構成を示している。
【００１７】
図６に示すように、商品収容室２０の前面開口の左右縁部には、左右縁部に沿って上下方向に延在した長尺状の補強フレーム材３１が配設されている。この補強フレーム材３１は、鋼板を屈曲加工して形成したものであり、本体キャビネット１０の補強材としての機能を有している。このような補強フレーム材３１は、図６、図７に示すように、前端部３１１が商品収容室２０（本体キャビネット１０）の内方に延在するようにそれぞれ折り曲げてある。また、補強フレーム材３１の略中央部には、補強部３１２が形成してある。補強部３１２は、横断面がコ字状となる態様で折り曲げた部分であり、本体キャビネット１０の内方に向けてそれぞれ張り出すように形成してある。補強フレーム材３１の後端には、取付部３１３が形成してある。取付部３１３は、横断面がＬ字形状となる態様で折り曲げた部分であり、商品収容室２０（本体キャビネット１０）の内方に向けて延在する内方延在部３１３１と、後方に向けて延在する後方延在部３１３２で形成され、内方延在部３１３１の後方に向けて延在する後方延在部３１３２は、商品収容室２０に対向する態様で設けてある。
【００１８】
この補強フレーム材３１の取付部３１３には、化粧枠部材３２が取り付けられている。化粧枠部材３２は、弾性材（例えばＰＰ樹脂）から形成されたものであり、押し出し成型により一体成形したものを商品収容室２０の開口長に合わせて切断して製作されたものである。そして、内扉４０を閉動作させて商品収容室２０の前面開口を閉成した場合に、自身が弾性変形して商品収容室２０を気密に保持する機能を有している。このような化粧枠部材３２は、図６、図８に示すように、化粧枠部材３２の基部３２１の前方に被覆部３２４、及びシール部３２５が形成してある。被覆部３２４は、補強フレーム材３１の取付部３１３の前面にあり、外側斜め後方に向けて延在している。この被覆部３２４は、内部に中空部３２６を有し、補強フレーム材３１の取付部３１３（内方延在部３１３１）の前面に圧縮された状態で当接している。シール部３２５は、被覆部３２４の前方側に形成してあり、内扉４０を閉動作させた場合に該内扉４０に当接するものである。
【００１９】
この補強フレーム材３１は、上述したように鋼板から形成されているために熱伝導性を有しており、化粧枠部材３２を取り付ける取付部３１３の後方延在部３１３２を通じて商品収容室２０の内部へ熱伝導を惹起して熱ロスの原因となっている。そこで後方延在部３１３２に複数個所の切り欠きを設けることで、商品収容室への熱伝導面積をできるだけ少なくし、熱ロスの低減を図った発明が知られている（例えば特許文献１参照）。
【先行技術文献】
【特許文献】
【００２０】
【特許文献１】特開２０１１−１０８０９５号公報
【発明の概要】
【発明が解決しようとする課題】
【００２１】
ところが、上述したような補強フレーム材３１は、化粧枠部材３２を取り付ける取付部３１３の後方延在部３１３２が商品収容室に対向しているため、自動販売機外部からの熱は、自動販売機の外表面である本体キャビネット１０、本体キャビネット１０に当接する補強フレーム材３１、補強フレーム材３１の取付部３１３の後方延在部３１３２に熱伝導され、後方延在部３１３２を通じて商品収容室２０への熱伝導による熱ロスを確実に回避することはできないという課題があった。
【００２２】
本発明は、上記実情に鑑みて、前面開口の一側縁部に沿って延在する長尺状の補強フレーム材３１を構成する取付部３１３（後方延在部３１３２）からの商品収容室２０への熱伝導をなくし、熱ロスをなくすことができる自動販売機を提供することを目的とする。
【課題を解決するための手段】
【００２３】
上記目的を達成するために、本発明の請求項１に係る自動販売機は、前面に開口を有する自動販売機本体の内部に断熱ボード材を付設することにより形成された断熱構造の商品収容室と、前記自動販売機本体に開閉可能に配設され、閉動作した場合に前記商品収容室の前面開口を閉成する扉体と、鋼板を屈曲加工して形成され、かつ前記商品収容室の前面開口の一縁部に沿って延在する長尺状の補強フレーム材と、前記動販売機本体の内方に突出する態様で設けられた前記補強フレーム材の取付部に取り付けられ、かつ前記扉体が前記商品収容室の前面開口を閉成する場合に自身が弾性変形して該商品収容室を気密に保持する化粧枠部材とを備えた自動販売機において、前記補強フレーム材は前記商品収容室の左右側壁を形成する断熱ボードの前端域に取付部を有し、前記化粧枠部材を前記補強フレーム材の取付部に取り付けたことを特徴とする。
【００２４】
また、本発明の請求項２に係る自動販売機は、前記補強フレーム材の取付部は、補強フレーム材の端部が商品収納庫の外方を向くように折り返して形成された密着曲げ部を有し、前記化粧枠部材は、前記補強フレーム材の端部に係合する係合部と、断熱ボード材を保持するための支持部を有していることを特徴とする。
【００２５】
また、本発明の請求項３に係る自動販売機は、前記補強フレーム材の取付部は、前記化粧枠部材を係止する突起部を有したことを特徴とする。
【発明の効果】
【００２６】
本発明の自動販売機によれば、化粧枠部材を商品収容室の左右側壁を形成する断熱ボードの前端域にある補強フレーム材の取付部に取付けることにより、従来のように商品収容室に対向する態様で設けてある補強フレーム材の取付部（後方延在部）をなくすることができるため、補強フレーム材から商品収容室内部への熱伝導がなくなり、外部からの熱伝導による熱ロスを大幅に低減できる。
【図面の簡単な説明】
【００２７】
【図１】図１は、本発明の実施の形態である商品収容室の要部を拡大して示す拡大断面平面図であり、図１（ａ）は、その左側縁部、図１（ｂ）は、その右側縁部である。
【図２】図２は、図１（ａ）に示した本発明の補強部材の拡大斜視図である。
【図３】図３は、図１（ａ）に示した本発明の化粧枠部材の拡大斜視図である。
【図４】図４は、外扉開放状態における自動販売機を示し、自動販売機の内部構造を示す斜視図である。
【図５】図５は、商品収容室を上方から見た場合を示す本体キャビネットの断面平面図である。
【図６】図６は、従来の商品収容室の要部を拡大して示す拡大断面平面図であり、図６（ａ）は、その左側縁部、図６（ｂ）は、その右側縁部である。
【図７】図７は、図６（ａ）に示した従来の補強部材の拡大斜視図である。
【図８】図８は、図６（ａ）に示した従来の化粧枠部材の拡大斜視図である。
【図９】図９は、本発明の別の実施の形態である商品収容室の要部を拡大して示す拡大断面平面図であり、図９（ａ）は、その左側縁部、図９（ｂ）は、その右側縁部である。
【図１０】図１０は、図９（ａ）に示した本発明の補強部材の拡大斜視図である。
【発明を実施するための形態】
【００２８】
以下に添付図面を参照しながら、本発明に係る自動販売機の好適な実施の形態について詳細に説明する。
【００２９】
図１は、本発明の実施の形態である商品収容室の要部を拡大して示す拡大断面平面図であり、図１（ａ）は、その左側縁部、図１（ｂ）は、その右側縁部である。この図１（ａ）、図１（ｂ）にも示すように、商品収容室２０の前面開口の両側縁部には、本発明に係る補強フレーム材３１Ａ、及び化粧枠部材３２Ａがそれぞれ配設してある。
【００３０】
ここで、右側縁部の補強フレーム材３１Ａ、化粧枠部材３２Ａは、左側縁部の補強フレーム材３１Ａ、化粧枠部材３２Ａと同様の構成、機能を有していることから同一の符号を付すこととし、左側縁部の補強フレーム材３１Ａ、化粧枠部材３２Ａについてのみ説明し、右側縁部の補強フレーム材３１Ａ、化粧枠部材３２Ａの説明は重複するため省略する。      
【００３１】
また、本発明に係る補強フレーム材３１Ａは、従来の補強フレーム材３１に対し、取付部３１３の形状のみが相違するため、その部位の符号のみ末尾にＡを付し、それ以外の共通する部位においては同一の符号を付す。また、本発明に係る化粧枠部材３２Ａは、従来の化粧枠部材３２に対し、基部３２１、係合部３２２、支持部３２３のみ相違するため、その部位の符号のみ末尾にＡを付し、それ以外の共通する部位においては同一の符号を付すこととする。
【００３２】
本発明に係る補強部材３１Ａは、図１、図２に示すように、取付部３１３Ａは、商品収容室２０（本体キャビネット１０）の後方側に略１８０°に折り曲げたダブルホールド加工による密着曲げ部３１４を有している。また、左右の補強フレーム材３１Ａは、左右の補強フレーム材３１Ａの取付部３１３Ａの密着曲げ部３１４の密着曲げ幅Ｗのみが異なる略鏡面対称の断面形状で形成されており、従来の補強フレーム材３１にあるように後方に向けて延在する後方延在部３１３２を有していない。また、ダブルホールド加工による密着曲げ部３１４の密着曲げ幅Ｗのみが異なるため、ロールフォーミング成形による曲げ加工を同一成形型でＬ曲げ加工も同一工程で行なうことができる。それにより図６に示す従来の補強部材３１のように、Ｌ曲げ長さが異なることにより、同一成形型でのロールフォーミング成形が出来ず、Ｌ曲げ加工のみ別工程で行なうといった対応が不要となる。
【００３３】
本発明に係る化粧枠部材３２Ａは、図１、図３に示すように、補強フレーム材３１Ａの取付部３１３Ａのダブルホールド加工による密着曲げ部３１４の先端部に係合させるための係合部３２２Ａを有している。この係合部３２２Ａは、係合面３２２Ａ１を有した突起形状で形成されている。そして、補強フレーム材３１Ａの取付部３１３Ａのダブルホールド加工による密着曲げ部３１４の先端部に化粧枠部材３２Ａの係合部３２２Ａ（係合面３２２Ａ１）を係合させた後、図示せぬネジにより、化粧枠部材３２Ａを補強フレーム材３１Ａに締結させることにより、化粧枠部材３２Ａは補強フレーム材３１Ａに取り付けられる。また、商品収容室２０の内方側には、断熱ボード材１７を保持するために後方に延在した支持部３２３Ａを有している。これにより、左右の化粧枠部材３２Ａは図１（ａ）、（ｂ）に示すように、断熱ボード材１７の幅が左右で異なっても、補強フレーム材３１Ａの取付部３１３Ａのダブルホールド加工による密着曲げ部３１４の密着曲げ幅Ｗを断熱ボード材１７の厚みに応じた幅に変更することにより、係合部３２２Ａの係合面３２２Ａ１と、断熱ボード材１７を保持する支持部３２３Ａにおける支持面３２３Ａ１（断熱ボード材と当接する面）との水平間距離Ｈ（図３参照）を同じ長さにすることが可能となり、左右の化粧枠部材３２は、その断面形状を鏡面対称とすることができる。また、図１、図３に示す本発明に係る化粧枠部材３２Ａの係合部３２２Ａが、図６、図８に示す従来の化粧枠部材３２の係合部３２２の機能（補強フレーム部材への係合）を有し、本発明に係る化粧枠部材３２Ａの支持部３２３Ａが、従来の化粧枠部材３２において後方へ延在する支持部３２３の機能（断熱ボード材１７の保持）を有している。
【００３４】
以上説明したように、本発明の実施の形態である自動販売機において、本体キャビネット１０の左右縁部に配設した補強フレーム材３１Ａは、左右側壁を形成する断熱ボード１７の前端域に化粧枠部材３２Ａの取付部３１３Ａを設けたことにより、従来の補強フレーム材３１における商品収容室２０の内方に向けて延在し、さらに後方に向けて延在する取付部（従来の補強部材３１における後方延在部３１３２）を無くすることができるため、補強フレーム材３１Ａから商品収容室２０への熱伝導がなくなり、商品収容室２０への外部からの熱ロスを大幅に低減することができ、自動販売機の省エネルギー化に貢献する。      
【００３５】
また、補強フレーム材３１Ａの断面形状を取付部３１３Ａの密着曲げ部３１４の密着曲げ幅Ｗのみが異なる断面形状とすることで、同一のロールフォーミング成形型による曲げ加工が同一工程でできるため、補強フレーム材３１Ａの加工、組立時における段取り替えの煩雑さ、別工程でのＬ曲げ加工不要化による工数低減が図れる。
【００３６】
さらに、補強フレーム材３１Ａに取り付ける化粧枠部材３２Ａにおいて、補強フレーム材３１Ａの取付部３１３Ａの密着曲げ部３１４の先端部に係合する位置に係合部３２２Ａ（係合面３２２Ａ１）を有した断面形状とし、補強フレーム材３１Ａの取付部３１３Ａの密着曲げ部３１４の密着曲げ幅Ｗを可変長さとすることにより、係合部３２２Ａの係合面３２２Ａ１と、断熱ボード材１７と当接する支持部３２３Ａの支持面３２３Ａ１との水平間距離Ｈを左右同一とすることができる。それにより自動販売機の製品幅や、商品収容室２０に搭載する商品収納ラック２３の種類（缶商品販売ラック、ＰＥＴ商品販売ラック等）、個数等により、断熱ボード材１７の幅が異なっても、補強フレーム材３１Ａの取付部３１３Ａの密着曲げ部３１４の密着曲げ幅Ｗの長さのみ変更することで同一断面の化粧枠部材３２Ａを使用することが可能となり、化粧枠部材３２Ａの共通化が図れる。
【００３７】
また、図６に示すように、従来の補強フレーム材３１の取付部３１３においては、商品収容室２０の後方に向けて延在する後方延在部３１３２は、商品収容室２０に対向する態様で設けてあるため、その後方延在部３１３２と本体キャビネット１０の内壁面に、断熱ボード材１７とは別部品の断熱材１８を挿入し、後方延在部３１３２と本体キャビネット１０の内壁面の空間を塞ぐことで外部からの熱を断熱していたが、本発明における補強フレーム材３１Ａには、商品収容室２０に面している従来の補強部材３１の後方延在部３１３２が存在しないため、断熱ボード材１７を補強フレーム材３１Ａの取付部３１３Ａに当接する位置まで一体品として形成することができ、外部断熱のために内壁面の空間塞ぎとして使用していた断熱材１８も不要となる。
【００３８】
なお、上述した補強部材３１Ａは、図１、図２に示すように、取付部３１３Ａは、商品収容室２０（本体キャビネット１０）の後方側に略１８０°に折り曲げたダブルホールド加工による密着曲げ部３１４を有し、化粧枠部材３２Ａの係合部３２２Ａを、補強部材３１Ａの密着曲げ部３１４の先端部に係合させることで化粧枠部材３２Ａを補強フレーム材３１Ａに取り付けるようにしている。ここで別の実施の形態として、図９、図１０に示すように、補強部材３１Ａの取付部３１３Ａにある密着曲げ部３１４の代わりに、補強部材３１Ｂの取付部３１３Ｂに突起部３１５を複数箇所設ける。この突起部３１５は、バーリング加工による突起やダボ突起などで形成されており、この突起部３１５に化粧枠部材３２Ａの係合部３２２Ａを係止させる。また、断熱ボード材１７の幅に応じて、化粧枠部材３２Ａの係合部３２２Ａを係止する突起部３１５の位置を変更することにより、上述した発明と同様の効果を得る事ができる。
【産業上の利用可能性】
【００３９】
以上のように、本発明に係る自動販売機は、例えば缶入り飲料やペットボトル入り飲料等の商品を販売するのに有用である。
【符号の説明】
【００４０】
１０・・・本体キャビネット、  １１・・・天板、  １２・・・側板、  １３・・・側板、  １４・・・底板、  １５・・・背板、  １６・・・基台板、  １７・・・断熱ボード材、  １８・・・断熱材、  ２０・・・商品収容室、  ２１・・・断熱仕切板、  ２２・・・商品収納庫、  ２３・・・商品収納ラック、  ２４・・・商品シュータ、  ３１（３１Ａ、３１Ｂ）・・・補強フレーム材、  ３１１・・・前端部、  ３１２・・・補強部、  ３１３（３１３Ａ、３１３Ｂ）・・・取付部、  ３１３２・・・後方延在部、  ３１３１・・・内方延在部、  ３１４・・・密着曲げ部、３１５・・・突起、  密着曲げ幅・・・Ｗ、  ３２（３２Ａ）・・・化粧枠部材、  ３２１（３２１Ａ）・・・基部、  ３２２（３２２Ａ）・・・係合部、  ３２２１（３２２Ａ１）・・・係合面、  ３２３（３２３Ａ）・・・支持部、３２３Ａ１・・・支持面、  ３２４・・・被覆部、  ３２５・・・シール部、  ３２６・・・中空部、  水平間距離・・・Ｈ、  ４０・・・内扉、  ５０・・・外扉
【図１】
2013140551.tif 000003
【図２】
2013140551.tif 000004
【図３】
2013140551.tif 000005
【図４】
2013140551.tif 000006
【図５】
2013140551.tif 000007
【図６】
2013140551.tif 000008
【図７】
2013140551.tif 000009
【図８】
2013140551.tif 000010
【図９】
2013140551.tif 000011
【図１０】
2013140551.tif 000012